(57)【要約】【課題】  水を棚や凹部から洗い場に円滑に導いて水捌けを良くし、水垢の付着の低減化、掃除の手間暇の軽減化を図る。【解決手段】  小物を載置するためのカウンター１と、前垂れ２とで形成する。前垂れ２の上部を凹ませてこの凹み内に棚６を設ける。この棚６と、凹みの天井面７とで石鹸類８の収納スペース９を、形成する。また棚６の下方にあたる前垂れ２の前面位置を、収納スペース９の奥の壁面９ａから棚６の前方の前垂れ２の下端部２ａにわたって、且つ洗い場３に凹湾曲面を向けた状態で曲面形の排水路２ｂに形成する。【選択図】      図１
2006141781.tif 000002
【特許請求の範囲】
【請求項１】
小物を載置するためのカウンターと、このカウンターの前側から立ち下げられている前垂れとで形成され、浴室の洗い場の側辺部に、洗い場に前垂れの前面を臨ませて設けられる浴室用カウンターパネルであって、上記の前垂れの上部が凹まれてこの凹み内に棚が設けられ、この棚と凹みの天井面とで石鹸類の収納スペースが形成され、また棚の下方にあたる前垂れの前面位置が、収納スペースの奥の壁面から棚の前方の前垂れの下端部にわたって、且つ洗い場に凹湾曲面が向けられた状態で曲面形の排水路に形成されていることを特徴とする浴室用カウンターパネル。
【請求項２】
請求項１記載の浴室用カウンターパネルであって、前垂れの上部に形成されている水栓取付部の両側に、石鹸類の収納スペースが左右一対状設けられ、水栓取付部に取り付けられている水栓の下方に、洗面器を置くための洗面器置き台が、水栓の下方の前垂れの下端部が前方に突き出されると共に、排水路より高く凸段差状に立ち上げられることにより形成されていることを特徴とする浴室用カウンターパネル。
【請求項３】
請求項１又は２記載の浴室用カウンターパネルであって、棚が角度を調節自在に形成されていることを特徴とする浴室用カウンターパネル。
【請求項４】
請求項３記載の浴室用カウンターパネルであって、棚が前方に上向き傾斜状に配置されたとき、この棚に載せられた石鹸類の後面があたる収納スペースの壁面位置が、棚と直交する平面に形成されていることを特徴とする浴室用カウンターパネル。
【請求項５】
請求項２乃至４の何れかに記載の浴室用カウンターパネルであって、排水路が洗面器置き台の側方にあたる排水路の前側の隅に向かって下り勾配に形成されていることを特徴とする浴室用カウンターパネル。
【発明の詳細な説明】
【技術分野】
【０００１】
本発明は浴室用カウンターパネルに関し、更に詳しくは浴室の洗い場の側辺部に設け、出窓や側壁の下部を形成するために使用する浴室用カウンターパネルに関するものである。
【背景技術】
【０００２】
従来この種のパネルとしては、例えば小物を載置するためのカウンターと、このカウンターの前側から立ち下げられている前垂れとで形成されているものがある。この場合、この種のパネルや、或いは浴室壁面に設けられる収納棚（凹部）は、従来、単に前面開口状の箱形に形成されているのが通例であった（例えば特許文献１、同２参照）。
【０００３】
即ち従来品の場合は、収納棚（凹部）の中に浸入したり付着した水を、洗い場に円滑に排水するための経路が、通常、設けられていなかったから、従来品によると、収納棚からの水捌けが悪く、そのため排水が乾いて水垢が付き易く、掃除に手間暇がかかる、という問題点があった。
【特許文献１】実開平７−１８６９１号公報
【特許文献２】特開２００１−２０４５５６号公報
【発明の開示】
【発明が解決しようとする課題】
【０００４】
本発明は、このような従来技術の問題点に鑑み、提案されたものである。
従って本発明の解決しようとする技術的課題は、水を棚や凹部から洗い場に円滑に導いて水捌けを良くし、水垢の付着の低減化、掃除の手間暇の軽減化を図ることができるよう形成した浴室用カウンターパネルを提供することにある。
【課題を解決するための手段】
【０００５】
本発明は、上記の課題を解決するため、次のような技術的手段を採る。
即ち本発明は、図１等に示されるように、小物を載置するためのカウンター１と、このカウンター１の前側から立ち下げられている前垂れ２とで形成され、浴室の洗い場３の側辺部３ａに、洗い場３に前垂れ２の前面を臨ませて設けられる浴室用カウンターパネルであって、上記の前垂れ２の上部が凹まれてこの凹み内に棚６が設けられ、この棚６と凹みの天井面７とで石鹸類８の収納スペース９が形成され、また棚６の下方にあたる前垂れ２の前面位置が、収納スペース９の奥の壁面９ａから棚６の前方の前垂れ２の下端部２ａにわたって、且つ洗い場３に凹湾曲面が向けられた状態で曲面形の排水路２ｂに形成されていることを特徴とする（請求項１）。
【０００６】
本発明の場合、上記の凹み、換言すると収納スペース９は前垂れ２の上部に横方向の全体にわたって形成されるのでも、或いは特定の位置に部分的に形成されるのでも良い。ここで、石鹸類８とは、例えば石鹸、ボトル入りのシャンプーやリンス、或いは髭剃り、垢擦り等、入浴時に使用するものを意味する。また本発明の場合、排水路２ｂは、洗い場３に凹湾曲面が向けられた状態の曲面形に形成されているのであれば、その勾配や湾曲率等は任意である。
【０００７】
この場合、本発明は、前垂れ２の上部に形成されている水栓取付部１２の両側に、石鹸類８の収納スペース９が左右一対状設けられ、水栓取付部１２に取り付けられている水栓１５の下方に、洗面器１７を置くための洗面器置き台２ｃが、水栓１５の下方の前垂れ２の下端部２ａが前方に突き出されると共に、排水路２ｂより高く凸段差状に立ち上げられることにより形成されているのが好ましい（請求項２）。
なぜならこれによると、水栓１５の両側から石鹸やシャンプー容器等を取り出して利用できるため、使い勝手が良くなるだけではなく、左右対称で意匠性が向上し、また洗面器置き台２ｃが立ち上げられているため排水路２ｂと分断でき、排水の流れを整然化できるからである。
【０００８】
また請求項１又は２に係る本発明は、図２に示されるように、棚６が角度を調節自在に形成されているのが好ましい（請求項３）。
なぜならこれによると、棚６を水平にして石鹸や髭剃り等を置き、シャンプー容器等は、棚６を前方に上向き傾斜させて収納スペース９に出し入れでき、使い勝手が良くなるからである。
【０００９】
またこの本発明の場合は、棚６が前方に上向き傾斜状に配置されたとき、この棚６に載せられた石鹸類８の後面があたる収納スペース９の壁面位置９ｂが、棚６と直交する平面に形成されているのが好ましい（請求項４）。
なぜならこれによると、石鹸類８としての例えばシャンプー容器が壁面位置９ｂに面接触して係止され、石鹸類８の収納状態を安定化できるからである。
【００１０】
また請求項２乃至４の何れかに記載の本発明は、排水路２ｂが洗面器置き台２ｃの側方にあたる排水路２ｂの前側の隅に向かって下り勾配に形成されているのが好ましい（請求項５）。
なぜならこれによると、洗面器置き台２ｃの前に座って身体を洗うとき、入浴者の足先に排水が流れることを防止でき、入浴感を高めることができるからである。
【発明の効果】
【００１１】
本発明の浴室用カウンターパネルは、このように形成されているから、棚や収納スペースの内面に付着する水を、排水路から洗い場に導いて円滑に排水できる。
従ってこれによれば、棚等が水垢で汚れることを防止でき、掃除に係る手間暇を軽減できる。
【発明を実施するための最良の形態】
【００１２】
以下、本発明を実施するための最良の形態を説明する。
本発明は、図１等に示されるように、小物を載置するためのカウンター１と、このカウンター１の前側から立ち下げられている前垂れ２とで形成され、浴室の洗い場３の側辺部３ａに、洗い場３に前垂れ２の前面を臨ませて設けられるものである。この実施形態に係る本発明品は、出窓４の室内側の下部を形成できるよう構成されている。そのためカウンター１は、洗い場３の範囲だけではなく、洗い場３から浴槽５の短辺部５ａの全長にわたって長く延ばされ、出窓４の横幅とほぼ同じ長さに形成されている。
【００１３】
また本発明は、上記の前垂れ２の上部が凹まれ、この凹み内に棚６が設けられている。そしてこの棚６と凹みの天井面７とで石鹸類８の収納スペース９が形成されている。棚６は、この実施形態では図２に示されるように、ほぼ水平位置と、前方に向かって上り傾斜状になる傾斜位置との２段階に、角度が調節可能に形成され、後端は収納スペース９の奥の壁面９ａから離されている。
【００１４】
１０は棚６の前側を支持するためのバーであり、１１は棚６の後側を支持するための突起状の支持片である。バー１０は、前垂れ２の上部に形成されている水栓取付部１２の側面１２ａと、本発明品の側部に垂直に設けられている側板１３又は側面１２ａと対向する浴室側壁とにわたされて横架されている。また支持片１１は、水栓取付部１２の側面１２ａと、上記の側板１３又は浴室側壁の対向位置に、バー１０からの距離を同一にして上側と下側に１個づつ、計２個、夫々取り付けられている。この場合、上側の支持片１１の高さは、バー１０とほぼ同じ高さに位置決めされ、下側の支持片１１は棚６を傾斜させたとき、凹みの天井面７と棚６がほぼ平行になるよう高さが位置決めされている。なお支持片１１は、この実施形態では別部材で形成され、カウンターパネルに取り付けられているが、本発明はこれに限定されるものではなく、支持片１１がカウンターパネルと一体に成形されているのでも良い。
また棚６の前側は、図４等に示されるように、横方向にわたって所定の長さだけ切り欠かれ、この切り欠き部６ａの両側にあたる前側の位置６ｂは裏側に折り返され、バー１０に引っ掛け可能に、フック形に形成されている。従ってこの実施形態に係る本発明品は、バー１０に棚６を引っ掛けたとき、バー１０が棚６の切り欠き部６ａから露出するため、この露出されているバー１０の位置に、Ｓ字形フック１４（図１参照）等を介して小物を吊るすことができる。
【００１５】
またこの実施形態では前垂れ２の上部の水栓取付部１２の両側が凹まれ、これにより石鹸類８の収納スペース９が水栓取付部１２の両側に左右一対状設けられている。水栓取付部１２は、前垂れ２の上部が、前方に下り傾斜状に突き出されると共に、その下端が後方に下り傾斜状に返され、両側面１２ａが垂直面状に形成されている。なお１５は水栓であり、１６はこの水栓１５の操作用の摘みである。
【００１６】
また本発明は、棚６の下方にあたる前垂れ２の前面位置が、収納スペース９の奥の壁面９ａから棚６の前方の前垂れ２の下端部２ａにわたって、且つ洗い場３に凹湾曲面が向けられた状態で曲面形の排水路２ｂに形成されている。またこの実施形態では、棚６が前方に上向き傾斜状に配置されたとき、この棚６に載せられた石鹸類８の後面があたる収納スペース９の壁面位置９ｂが、棚６と直交する平面に形成されている。なおこの実施形態の場合、棚６の前端は、図２に示されるように、上記の水栓操作摘み１６が設けられている前垂れ２の上部の前面より、幾分後側に位置決めされ、摘み１６を操作するとき棚６が邪魔にならないよう形成されている。
【００１７】
２ｃは、洗面器１７を置くための洗面器置き台である。この洗面器置き台２ｃは、前垂れ２の下端部２ａが前方に突き出されると共に、排水路２ｂより高く凸段差状に立ち上げられることにより形成され、水栓１５の下方に設けられている。なお１８（図２参照）は土台であり、１９は排水路２ｂ等の裏側にあてがわれて本発明品を支持するための高さ調節機能を備えた支持部材である。また２０は出窓４のサッシであり、２１は出窓４の外側の下部を覆うための出窓下カバーである。
【００１８】
次に本発明品における水の流れを説明する。
棚６から流れる水は、図２に矢示されるように、収納スペース９の奥の壁面９ａから棚６の下方に形成されている排水路２ｂを流れ、下端部２ａから洗い場３に排水される。凹みの天井面７に付着する水や、収納スペース９に対応する位置のカウンター１の上面の水は、凹みの天井面７を伝わって流れ、同様に排水路２ｂを経て洗い場３に排水される。また上例の本発明では、洗面器置き台２ｃの傍らに排水路２ｂが形成されているから、入浴者が身体を洗うとき、洗面器１７や水栓１５から飛び散る水は、排水路２ｂを介して洗い場３に円滑に導かれる。
【図面の簡単な説明】
【００１９】
【図１】本発明パネルの好適な一実施形態を示す設置状態時の斜視図である。
【図２】同上パネルの要部縦断面図である。
【図３】同上パネルを設けた浴室の状態を示す斜視図である。
【図４】棚の平面図である。
【図５】図４のＶ−Ｖ線における断面図である。
【図６】同上パネルの他の実施形態を示す要部平面図である。
【符号の説明】
【００２０】
１      カウンター
２      前垂れ
２ａ    下端部
２ｂ    排水路
３      洗い場
３ａ    側辺部
６      棚
７      凹みの天井面
８      石鹸類
９      収納スペース
９ａ    奥の壁面
【図１】
2006141781.tif 000003
【図２】
2006141781.tif 000004
【図３】
2006141781.tif 000005
【図４】
2006141781.tif 000006
【図５】
2006141781.tif 000007
【図６】
2006141781.tif 000008